(57)【要約】【課題】本発明は鏡機能を含みながらも適切な透過率および視認性を有する有機発光表示装置を提供する。【解決手段】本発明は有機発光表示装置に関し、本発明の実施形態による有機発光表示装置は基板部材と、前記基板部材上の有機発光素子と、前記有機発光素子上に形成された位相遅延板と、前記位相遅延板上に形成され、選択的に光の一部は通過させ、他の一部は反射させる選択的反射膜と、を含む。【選択図】図３
2010161051.tif 000002
【特許請求の範囲】
【請求項１】
基板部材と、
前記基板部材上の有機発光素子と、
前記有機発光素子上に形成された位相遅延板と、
前記位相遅延板上に形成されて選択的に光の一部は通過させ、他の一部は反射させる選択的反射膜と、を含むことを特徴とする有機発光表示装置。
【請求項２】
前記選択的反射膜は反射型偏光フィルムであり、
前記反射型偏光フィルムはその偏光軸が一致する光は通過させ、前記偏光軸が一致しない光は反射することを特徴とする請求項１に記載の有機発光表示装置。
【請求項３】
前記位相遅延板は１／４波長板であり、
前記位相遅延板の光軸と前記反射型偏光フィルムの偏光軸との交角は４０度乃至５０度の範囲内に属することを特徴とする請求項２に記載の有機発光表示装置。
【請求項４】
前記反射型偏光フィルムと前記位相遅延板との間に配置された偏光板をさらに含み、
前記偏光板は前記反射型偏光フィルムの偏光軸と同じ方向の偏光軸を有することを特徴とする請求項２に記載の有機発光表示装置。
【請求項５】
前記偏光板と前記位相遅延板との間に配置された追加の反射型偏光フィルムをさらに含み、
前記追加の反射型偏光フィルムは前記反射型偏光フィルムおよび前記偏光板の偏光軸と同じ方向の偏光軸を有することを特徴とする請求項４に記載の有機発光表示装置。
【請求項６】
前記位相遅延板と前記有機発光素子との間に配置されたコレステリック液晶膜をさらに含むことを特徴とする請求項２に記載の有機発光表示装置。
【請求項７】
前記コレステリック液晶膜は左円偏光および右円偏光のうちのいずれか一つは通過させ、他の一つは反射させることを特徴とする請求項６に記載の有機発光表示装置。
【請求項８】
前記偏光板および前記位相遅延板を順次に通過して、円偏光された光が前記コレステリック液晶膜を通過できるように前記コレステリック液晶膜が配列されたことを特徴とする請求項７に記載の有機発光表示装置。
【請求項９】
前記反射型偏光フィルムと前記位相遅延板との間に配置された偏光板をさらに含み、
前記偏光板は前記反射型偏光フィルムの偏光軸と同じ方向の偏光軸を有することを特徴とする請求項６に記載の有機発光表示装置。
【請求項１０】
前記有機発光素子が光を放出しない時、前記選択的反射膜は外部の光を反射させて鏡のような効果を出すことを特徴とする請求項１乃至９のうち何れか一つに記載の有機発光表示装置。
【発明の詳細な説明】
【技術分野】
【０００１】
本発明は有機発光表示装置に関し、より詳しくは鏡機能を有する有機発光表示装置に関するものである。
【背景技術】
【０００２】
有機発光表示装置（ｏｒｇａｎｉｃ  ｌｉｇｈｔ  ｅｍｉｔｔｉｎｇ  ｄｉｏｄｅ  ｄｉｓｐｌａｙ）は、自発光特性を有し、液晶表示装置（ｌｉｑｕｉｄ  ｃｒｙｓｔａｌ  ｄｉｓｐｌａｙ）とは異なって別途の光源を要しないため、厚さと重量を減らすことができる。また、有機発光表示装置は低い消費電力で高い輝度および高い反応速度などの高品位特性を有するため携帯用電子機器の次世代表示装置として注目されている。
【０００３】
最近、有機発光表示装置に対して多様な付加機能が求められている。有機発光表示装置に求められる付加機能の一例として鏡機能が挙げられる。つまり、有機発光表示装置が画像を表示しない時、有機発光表示装置を鏡として活用でき、デザインの面からも鏡のように光を反射できる特性が求められている。このような要求から、薄い金属膜などを使って、鏡機能を有する有機発光表示装置が現われている。
【０００４】
しかし、従来の鏡機能を有する有機発光表示装置には透過率および視認性が顕著に低下する問題がある。
【発明の概要】
【発明が解決しようとする課題】
【０００５】
本発明は前述した背景技術の問題点を解決するためのものであって、本発明の目的は、鏡機能を含みながらも適切な透過率および視認性を有する有機発光表示装置を提供することである。
【課題を解決するための手段】
【０００６】
本発明の実施形態による有機発光表示装置は、基板部材と、前記基板部材上の有機発光素子と、前記有機発光素子上に形成された位相遅延板と、前記位相遅延板上に形成されて選択的に光の一部を通過させて残りを反射させる選択的反射膜と、を含む。
【０００７】
前記選択的反射膜は反射型偏光フィルム（ｄｕａｌ  ｂｒｉｇｈｔｎｅｓｓ  ｅｎｈａｎｃｅｍｅｎｔ  ｆｉｌｍ、ＤＢＥＦ）であり、前記反射型偏光フィルムはその偏光軸が一致する光は通過させて、その偏光軸が一致しない光は反射できる。
【０００８】
前記位相遅延板は１／４波長板であり、前記位相遅延板の光軸と前記反射型偏光フィルムの偏光軸との交角は４０度乃至５０度の範囲内に属することができる。
【０００９】
前記反射型偏光フィルムと前記位相遅延板との間に配置された偏光板をさらに含み、前記偏光板は前記反射型偏光フィルムの偏光軸と同じ方向の偏光軸を有する。
【００１０】
前記偏光板と前記位相遅延板との間に配置された追加の反射型偏光フィルムをさらに含み、前記追加の反射型偏光フィルムは前記反射型偏光フィルムおよび前記偏光板の偏光軸と同じ方向の偏光軸を有する。
【００１１】
前記位相遅延板と前記有機発光素子との間に配置されたコレステリック液晶（ｃｈｏｌｅｓｔｅｒｉｃ  ｌｉｑｕｉｄ  ｃｒｙｓｔａｌ、ＣＬＣ）膜をさらに含むことができる。
【００１２】
前記コレステリック液晶膜は左円偏光および右円偏光のうちのいずれか一つは通過させて他の一つは反射できる。
【００１３】
前記偏光板および前記位相遅延板を順次に通過して、円偏光された光が前記コレステリック液晶膜を通過できるように前記コレステリック液晶膜が配列できる。
【００１４】
前記反射型偏光フィルムと前記位相遅延板との間に配置された偏光板をさらに含み、前記偏光板は前記反射型偏光フィルムの偏光軸と同じ方向の偏光軸を有する。
【発明の効果】
【００１５】
前記有機発光表示装置において、前記有機発光素子が光を放出しない時前記選択的反射膜は外部の光を反射させて鏡のような効果を出すことができる。
【図面の簡単な説明】
【００１６】
【図１】本発明の第１実施形態による有機発光表示装置の部分断面図である。
【図２】図１の有機発光表示装置の画素回路を示した配置図である。
【図３】外部から図１の有機発光表示装置に流入した光の経路を示した構成図である。
【図４】図１の有機発光表示装置の有機発光素子から発生した光が外部に放出される経路を示した構成図である。
【図５】本発明の第２実施形態による有機発光表示装置の部分断面図である。
【図６】外部から図５の有機発光表示装置に流入した光の経路、及び有機発光素子で発生した光が外部に放出される経路を示した構成図である。
【図７】本発明の第３実施形態による有機発光表示装置の部分断面図である。
【図８】外部から図７の有機発光表示装置に流入した光の経路を示した構成図である。
【図９】図７の有機発光表示装置の有機発光素子で発生した光が外部に放出される経路を示した構成図である。
【図１０】本発明の第４実施形態による有機発光表示装置の部分断面図である。
【図１１】外部から図１０の有機発光表示装置に流入した光の経路を示した構成図である。
【図１２】図１０の有機発光表示装置の有機発光素子で発生した光が外部に放出される経路を示した構成図である。
【発明を実施するための形態】
【００１７】
以下、添付図を参照して、本発明の多様な実施形態について本発明が属する技術分野において通常の知識を有する者が容易に実施できるように詳しく説明する。本発明は多様な形態に具現され、ここで説明する実施形態に限られない。
【００１８】
また、多様な実施形態において、同じ構成を有する構成要素については同じ符号を付け、代表的に第１実施形態で説明して、その他の実施形態においては第１実施形態と異なった構成についてのみ説明する。
【００１９】
本発明を明確に説明するために説明上不要な部分は省略し、明細書全体にわたって同一または類似の構成要素については同じ参照符号を付ける。
【００２０】
また、図面に表示した各構成の大きさおよび厚さは説明の便宜のために任意に示したため、本発明が必ずしも示されたとおりになるとは限られない。
【００２１】
図面から多様な層および領域を明確に表現するために厚さを拡大して示した。そして、図面において、説明の便宜のために、一部層および領域の厚さを誇張して示した。層、膜、領域、板などの部分が他の部分「上に」または「上部に」あるという時、これは他の部分の「直上に」ある場合だけでなく、その中間にまた他の部分がある場合も含む。一方、ある部分が他の部分の「直上に」あるという時には中間に他の部分がないことを意味する。
【００２２】
また、添付図面からは、一つの画素に二つの薄膜トランジスター（ｔｈｉｎ  ｆｉｌｍｔｒａｎｓｉｓｔｏｒ、ＴＦＴ）と一つの蓄電素子（ｃａｐａｃｉｔｏｒ）を備えた２Ｔｒ−１Ｃａｐ構造の能動駆動（ａｃｔｉｖｅ  ｍａｔｒｉｘ、ＡＭ）型有機発光表示装置を示しているが、本発明による実施形態はこれに限定されるものではない。従って、有機発光表示装置は一つの画素に三つ以上の薄膜トランジスターと二つ以上の蓄電素子を具備でき、別途の配線がさらに形成されて多様な構造を有するように形成できる。ここで、画素は画像を表示する最小単位を言い、有機発光表示装置は複数の画素を通して、画像を表示する。
【００２３】
以下、図１および図２を参照して本発明の第１実施形態について説明する。
【００２４】
図１および図２に示したように、本発明の第１実施形態による有機発光表示装置１００は互いに合着密封された第１基板５１、第２基板５２、そして光学部材９１を含む。
【００２５】
第１基板５１は基板部材５１１と、基板部材５１１上に形成された駆動回路部（ＤＣ）と、駆動回路部（ＤＣ）上に形成された有機発光素子（Ｌ１）を含む。
【００２６】
駆動回路部（ＤＣ）は一般に図２のような配置構造を有する。図２は駆動回路部（ＤＣ）における画素一つの回路配置状態を示した。図２に示したように、駆動回路部（ＤＣ）は２つ以上の薄膜トランジスター（Ｔ１、Ｔ２）と一つ以上の保存キャパシター（Ｃ１）を含む。薄膜トランジスターは基本的にスイッチングトランジスター（Ｔ１）と駆動トランジスター（Ｔ２）を含む。
【００２７】
スイッチングトランジスター（Ｔ１）はスキャンライン（ＳＬ１）とデータライン（ＤＬ１）と接続され、スキャンライン（ＳＬ１）に入力されるスイッチング電圧によりデータライン（ＤＬ１）に入力されるデータ電圧を駆動トランジスター（Ｔ２）に伝送する。保存キャパシター（Ｃ１）はスイッチングトランジスター（Ｔ１）と電源ライン（ＶＤＤ）と接続され、スイッチングトランジスター（Ｔ１）から伝送された電圧と電源ライン（ＶＤＤ）に供給される電圧の差に該当する電圧を保存する。
【００２８】
駆動トランジスター（Ｔ２）は電源ライン（ＶＤＤ）と保存キャパシター（Ｃ１）と接続されて、保存キャパシター（Ｃ１）に保存された電圧としきい電圧の差の自乗に比例する出力電流（ＩＯＥＬＤ）を有機発光素子（Ｌ１）に供給し、有機発光素子（Ｌ１）は出力電流（ＩＯＬＥＤ）によって発光される。
【００２９】
図１を参照してさらに説明すると、駆動トランジスター（Ｔ２）はソース電極５３３とドレーン電極５３２およびゲート電極５３１を含む。
【００３０】
有機発光素子（Ｌ１）は第１電極５４４、第１電極５４４上に形成された有機発光層５４５、および有機発光層５４５上に形成された第２電極５４６を含む。一般に第１電極５４４はアノード電極となり、第２電極５４６はカソード電極となる。しかし、本発明による第１実施形態はこれに限定されるものではなく、駆動方法により第１電極５４４がカソード電極となり、第２電極５４６がアノード電極となっても良い。そして、有機発光素子（Ｌ１）の第１電極５４４が駆動トランジスター（Ｔ２）のドレーン電極５３２と接続される。そして、第１電極５４４および第２電極５４６のうち、一つ以上の電極は半透過または反射型で形成されて光を反射する。
【００３１】
また、本発明の第１実施形態による有機発光表示装置１００は、有機発光素子（Ｌ１）が有機発光層５４５から第２電極５４６方向に光を放出して画像を表示する。つまり、有機発光表示装置１００は前面発光型に形成される。
【００３２】
駆動回路部（ＤＣ）および有機発光素子（Ｌ１）の構成は前述した例に限定されずに当該技術分野の専門家が容易に実施できる公知された構成で多様に変形できる。
【００３３】
光学部材９１は基本的に外光反射を抑制して有機発光表示装置１００の視認性を向上させながらも、有機発光素子（Ｌ１）から外部に放出される光の損失は最少化する役割を果たす。
【００３４】
また、本発明の第１実施形態による有機発光表示装置１００において光学部材９１は有機発光素子（Ｌ１）が光を放出しない時、外部の光を反射させて鏡のような効果を出す。そのために有機発光表示装置１００は鏡機能を含むことが必要である。
【００３５】
光学部材９１は有機発光素子（Ｌ１）上に形成された位相遅延板９１５と、位相遅延板９１５上に形成された選択的反射膜９１１を含む。
【００３６】
選択的反射膜９１１には反射型偏光フィルム（ｄｕａｌ  ｂｒｉｇｈｔｎｅｓｓ  ｅｎｈａｎｃｅｍｅｎｔ  ｆｉｌｍ、ＤＢＥＦ）が用いられる。以下、本発明の第１実施形態において選択的反射膜９１１を反射型偏光フィルムという。反射型偏光フィルム（ＤＢＥＦ）９１１は偏光軸と一致する光は通過させて、偏光軸と一致しない光は反射する。従って、反射型偏光フィルム９１１を通過した光は反射型偏光フィルム９１１の偏光軸方向の直線偏光にされる。
【００３７】
また、反射型偏光フィルム９１１は有機発光素子（Ｌ１）が光を放出しない時には外部の光を反射し、鏡のような効果を出すことによって有機発光表示装置１００が鏡機能を有するようになる。
【００３８】
位相遅延板９１５は１／４波長板であり、位相遅延板９１５は反射型偏光フィルム９１１の偏光軸から４０度乃至５０度程度歪んだ光軸を有する。つまり、位相遅延板９１５の光軸と反射型偏光フィルム９１１の偏光軸との交角は４０度乃至５０度の範囲内に属する。そして、位相遅延板９１５は反射型偏光フィルム９１１を通過して直線偏光になった光を円偏光にする。
【００３９】
このように、位相遅延板９１５が反射型偏光フィルム９１１を通過して直線偏光になった光を円偏光させるためには位相遅延板９１５の光軸と反射型偏光フィルム９１１の偏光軸との交角は実質的に４５度であるのが望ましい。つまり、位相遅延板９１５の光軸と反射型偏光フィルム９１１の偏光軸との交角が４５度に近いほど反射型偏光フィルム９１１を通過して直線偏光になった光は位相遅延板９１５を通過しながら円偏光に近くなる。しかし、交角に５度程度の誤差範囲を置くのは、光が波長帯域別に少しずつ異なる挙動を示すためである。従って、可視光中心に考慮しなければならない波長帯域の光を基準として反射型偏光フィルム９１１の偏光軸と位相遅延板９１５の光軸を配列する。
【００４０】
第２基板５２は有機発光素子（Ｌ１）および駆動回路部（ＤＣ）が形成された第１基板５１をカバーする。つまり、第２基板５２は第１基板５１に対向配置されて、薄膜トランジスター（Ｔ１、Ｔ２）、蓄電素子（Ｃ１）、および有機発光素子（Ｌ１）等が外部から密封されるようにカバーする。この時、第２基板５２は図示しないが、周縁に沿って形成された封合剤によって第１基板５１と互いに合着される。つまり、第１基板５１と第２基板５２は封合剤によって合着密封される。
【００４１】
第２基板５２には通常ガラスまたはプラスチックなどを素材として形成された透明な絶縁基板を用いることができる。
【００４２】
また、第２基板５２は有機発光素子（Ｌ１）上に形成された光学部材９１も共にカバーする。しかし、本発明による第１実施形態は必ずしもこれに限定されるものではない。従って、光学部材９１は第２基板５２上に形成されても良い。つまり、光学部材９１は第１基板５１と第２基板５２が互いに合着されて形成する密封空間外に配置されても良い。このように、光学部材９１の位置は有機発光素子（Ｌ１）上であれば自由に配置される。
【００４３】
このような構成によって、有機発光表示装置１００は鏡機能を含むことができる。また、有機発光表示装置１００は適切な透過率を有して有機発光素子（Ｌ１）から発生された光を効率的に外部に放出することができる。
【００４４】
以下、図３および図４を参照して本発明の第１実施形態による有機発光表示装置１００の光学部材９１が効果的に外光反射を抑制しながら有機発光素子（Ｌ１）の有機発光層５４５から外部に放出される光の損失を最少化する原理について説明する。
【００４５】
まず、図３を参照して、外部から光学部材９１を通して内部に流入する光の経路を説明する。
【００４６】
外部の光は光学部材９１の中の反射型偏光フィルム９１１を最初に通る。外部光の一部は反射型偏光フィルム９１１を通過しながら反射型偏光フィルム９１１の偏光軸方向に直線偏光され、反射型偏光フィルム９１１を通過できない一部の光は再び外部に反射される。ここで、外部に反射される光によって有機発光表示素子（Ｌ１）が光を発生しない時に光学部材９１が鏡の役割を果たすことができる。直線偏光になった光は１／４波長板の位相遅延板９１５を通りながら円偏光に変わる。この時、位相遅延板９１５の光軸は反射型偏光フィルム９１１の偏光軸より４０度乃至５０度程度、最も望ましくは略４５度ずれている。
【００４７】
このように、直線偏光になった光の軸方向と位相遅延板９１５の光軸方向が間の交角が略４５度であるため、直線偏光になった光が位相遅延板９１５を通過しながら円偏光に変わるようになる。この時、円偏光は右円偏光である。しかし、本発明による第１実施形態はこれに限定されるものではない。従って位相遅延板９１５を通過した光が左円偏光であっても良い。
【００４８】
位相遅延板９１５を通過して右円偏光になった光は、第２電極５４６と第１電極５４４を含む有機発光素子（Ｌ１）で反射されて、再び位相遅延板９１５に向かう。また、光は有機発光素子（Ｌ１）の電極（５４４、５４６）だけでなくその他に複数の金属配線にも反射できる。この時、右円偏光となった光は反射しながら左円偏光に変わる。そして左円偏光になった光は位相遅延板９１５を通過しながら直線偏光になるが、この時直線偏光になった光の軸方向は反射型偏光フィルム９１１の偏光軸と交差する方向となる。従って、光は反射型偏光フィルム９１１を通過できずに反射され、再び位相遅延板９１５を通過して有機発光素子（Ｌ１）に向かうようになる。また、直線偏光になった光は位相遅延板９１５を通過しながら左円偏光に変わって、有機発光素子（Ｌ１）において反射しながら左円偏光となった光はこれからまた右円偏光に変わる。そして、右円偏光になった光は位相遅延板９１５を通過しながら直線偏光にされる。この時、直線偏光になった光の軸方向は反射型偏光フィルム９１１の偏光軸と実質的に同じ方向となる。ここで、実質的に同じということは、光は波長帯域別に少しずつ異なる挙動を示すためである。可視光の波長帯域に属した光は平均的に反射型偏光フィルム９１１の偏光軸と実質的に同じ方向となる。従って、直線偏光になった光は反射型偏光フィルム９１１を経て外部に放出される。
【００４９】
次に、図４を参照して有機発光素子（Ｌ１）から外部に放出される光の経路を見る。
【００５０】
有機発光素子（Ｌ１）の有機発光層５４５から放出された光は第２電極５４６と位相遅延板９１５を順次に通過して反射型偏光フィルム９１１に向かう。この時、光は多様な位相が混在する状態である。
【００５１】
位相遅延板９１５を通過した光の中で、反射型偏光フィルム９１１の偏光軸と同じ成分の光は反射型偏光フィルム９１１を通過し、その他は反射されて再び位相遅延板９１５に向かう。ここで、反射型偏光フィルム９１１を通過した光は直線偏光にされて外部に放出される。一方、反射型偏光フィルム９１１において反射された光は位相遅延板９１５を経て有機発光素子（Ｌ１）に向かう。この時、光は位相遅延板９１５を通過しながら相当量が左円偏光になることができる。これは反射型偏光フィルム９１１の偏光軸と同じ方向の光軸を有する光は反射型偏光フィルム９１１を通過して外部に放出されたためである。そして、有機発光素子（Ｌ１）において反射しながら相当量が右円偏光に変わる。また、光は有機発光素子（Ｌ１）の電極５４４、５４６だけでなく、その他に複数の金属配線にも反射できる。そして、右円偏光された光は位相遅延板９１５を経ながら直線偏光になり、直線偏光になった光は反射型偏光フィルム９１１を経て外部に放出される。
【００５２】
このように、本発明の第１実施形態による有機発光表示装置１００は、鏡機能を有しながら有機発光素子（Ｌ１）から発生された光が外部に放出される時の損失を最少化できる。しかし、外部から有機発光表示装置１００に流入した光も相当部分反射できる。
【００５３】
以下、図５を参照して本発明の第２実施形態を説明する。
【００５４】
図５に示したように、本発明の第２実施形態による有機発光表示装置２００の光学部材９２は選択的反射膜９２１、偏光板９２２、および位相遅延板９２５を含む。以下、本発明の第２実施形態において選択的反射膜９２１を反射型偏光フィルムという。つまり、光学部材９２は反射型偏光フィルム９２１と位相遅延板９２５の間に配置された偏光板９２２をさらに含む。
【００５５】
偏光板９２２は反射型偏光フィルム９２１の偏光軸と同じ方向の偏光軸を有する。従って、反射型偏光フィルム９２１を通過して直線偏光になった光は偏光板９２２をそのまま通過でき、偏光板９２２を通過して直線偏光になった光は反射型偏光フィルム９２１をそのまま通過できる。偏光板９２２は偏光軸と一致する光は通過させて、偏光軸と一致しない光は反射型偏光フィルム９２１と異なって吸収する。
【００５６】
このような構成によって、有機発光表示装置２００は鏡機能を含むことができるのと同時に外光反射を抑制して視認性を向上できる。
【００５７】
具体的に、反射型偏光フィルム９２１は有機発光素子（Ｌ１）が光を放出しない時に外部の光を反射して鏡のような効果を出し、偏光板９２２は外光反射を抑制する役割を果たす。
【００５８】
以下、図６を参照して本発明の第２実施形態による有機発光表示装置２００の光学部材９２が効果的に外光反射を抑制しながら有機発光層５４５から外部に放出される光の損失を最少化する原理について説明する。
【００５９】
まず、外部から光学部材９２を通して内部に流入する光の経路を見る。
【００６０】
外部の光は光学部材９２の中の反射型偏光フィルム９２１を最初に経る。外部光のうち一部は反射型偏光フィルム９２１を通過しながら反射型偏光フィルム９２１の偏光軸方向の直線偏光にされ、反射型偏光フィルム９２１を通過できない一部の光は再び外部に反射される。ここで、外部に反射される光によって有機発光表示素子（Ｌ１）が光を発生しない時、光学部材９２が鏡のような役割を果たすことができる。直線偏光になった光は偏光板９２２をそのまま通過して、１／４波長板の位相遅延板９２５を経ながら円偏光に変わる。この時、位相遅延板９２５の光軸は反射型偏光フィルム９２１の偏光軸より４０度乃至５０度程度に、最も望ましくは略４５度程度にずれている。
【００６１】
このように、直線偏光になった光の軸方向と位相遅延板９２５の光軸方向との交角が略４５度になるため、直線偏光になった光が位相遅延板９２５を通過しながら円偏光に変わるようになる。この時、円偏光は右円偏光である。しかし、本発明による第２実施形態はこれに限定されるものではない。従って、位相遅延板９２５を通過した光が左円偏光であっても良い。
【００６２】
位相遅延板９２５を通過して右円偏光された光は、第２電極５４６と第１電極５４４を含む有機発光素子（Ｌ１）において反射されて再び位相遅延板９２５に向かう。また、光は有機発光素子（Ｌ１）の電極５４４、５４６だけでなくその他に複数の金属配線においても反射できる。この時、右円偏光となった光は反射しながら左円偏光に変わる。そして、左円偏光となった光は位相遅延板９２５を通過しながら直線偏光にされるが、この時直線偏光になった光の軸方向は偏光板９２２の偏光軸と交差する方向となる。従って、光は偏光板９２２を通過できずに偏光板９２２で吸収される。
【００６３】
このように、外部から流入して反射された光が偏光板９２２に吸収されるため、有機発光表示装置２００は外光反射を抑制することができる。
【００６４】
次に、有機発光素子（Ｌ１）から外部に放出される光の経路を見る。
【００６５】
有機発光素子（Ｌ１）の有機発光層５４５から放出された光は第２電極５４６と位相遅延板９２５を順次に通過して偏光板９２２に向かう。この時、光は多様な位相が混在する状態である。
【００６６】
位相遅延板９２５を通過した光の中で、偏光板９２２の偏光軸と同じ成分の光は偏光板９２２を通過し、他の光は偏光板９２２に吸収される。ここで、偏光板９２２を経て直線偏光となった光はそのまま反射型偏光フィルム９２１を通過して外部に放出される。
【００６７】
このように、本発明の第２実施形態による有機発光表示装置２００は鏡機能を有しながら、外部から流入された光の反射を抑制して向上した視認性を有する。しかし、有機発光素子（Ｌ１）から発生した光は一部失われる。
【００６８】
以下、図７を参照して本発明の第３実施形態について説明する。
【００６９】
図７に示したように、本発明の第３実施形態による有機発光表示装置３００の光学部材９３は選択的反射膜９３１、偏光板９３２、および位相遅延板９３５を含む。以下、本発明の第３実施形態において、選択的反射膜９３１を第１反射型偏光フィルムという。そして、光学部材９３は偏光板９３２と位相遅延板９３５との間に配置された追加の反射型偏光フィルム９３３をさらに含む。また、以下、本発明の第３実施形態において追加の反射型偏光フィルム９３３を第２反射型偏光フィルムという。
【００７０】
偏光板９３２は第１反射型偏光フィルム９３１と位相遅延板９３５との間に配置され、第２反射型偏光フィルム９３３は偏光板９３２と位相遅延板９３５との間に配置される。
第１反射型偏光フィルム９３１、偏光板９３２、および第２反射型偏光フィルム９３３は互いに同じ方向の偏光軸を有する。
【００７１】
このような構成によって、有機発光表示装置３００は鏡機能を含むことができると同時に適切な透過率を有して有機発光素子（Ｌ１）において発生された光を効率的に外部に放出することができる。また、ある程度外光反射を抑制して、視認性を多少向上できる。
【００７２】
具体的に、第１反射型偏光フィルム９３１は有機発光素子（Ｌ１）が光を放出しない時に外部の光を反射して鏡のような効果を出し、第２反射型偏光フィルム９３３は有機発光素子（Ｌ１）から発生した光が外部に放出される過程で失われるのを最小化する。
【００７３】
以下、図８および図９を参照して本発明の第３実施形態による有機発光表示装置３００の光学部材９３が効果的に外光反射を抑制しながら有機発光層５４５から外部に放出される光の損失を最少化する原理について説明する。
【００７４】
まず、図８を参照して、外部から光学部材９３を通して内部に流入する光の経路を見る。
【００７５】
外部の光は光学部材９３のうち、第１反射型偏光フィルム９３１を最初に経るようになる。外部光のうち一部は第１反射型偏光フィルム９３１を通過しながら第１反射型偏光フィルム９３１の偏光軸方向の直線偏光にされ、第１反射型偏光フィルム９３１を通過できない他の一部の光は再び外部に反射される。ここで、外部に反射される光によって有機発光表示素子（Ｌ１）が光を発生しない時に光学部材９３が鏡のような役割を果たすことができる。直線偏光された光は偏光板９３２および第２反射型偏光フィルム９３３を順次に通過して、１／４波長板の位相遅延板９３５を経ながら円偏光に変わる。この時、位相遅延板９３５の光軸は第１反射型偏光フィルム９３１、偏光板９３２、および第２反射型偏光フィルム９３３の偏光軸より４０度乃至５０度程度、最も望ましくは略４５度程度ずれている。
【００７６】
このように、直線偏光された光の軸方向と位相遅延板９３５の光軸方向との交角が略４５度を成すため、直線偏光された光が位相遅延板９３５を通過しながら円偏光に変わるようになる。この時、円偏光は右円偏光である。しかし、本発明による第３実施形態はこれに限定されるものではない。従って、位相遅延板９３５を通過した光が左円偏光であっても良い。
【００７７】
位相遅延板９３５を通過して右円偏光された光は第２電極５４６と第１電極５４４を含む有機発光素子（Ｌ１）において反射されて再び位相遅延板９３５に向かう。また、光は有機発光素子（Ｌ１）の電極５４４、５４６だけでなくその他に複数の金属配線にも反射できる。この時、右円偏光となった光は反射しながら左円偏光に変わる。そして、左円偏光された光は位相遅延板９３５を通過しながら直線偏光にされるが、この時に直線偏光になった光の軸方向は第２反射型偏光フィルム９３３の偏光軸と交差する方向となる。従って、光は第２反射型偏光フィルム９３３を通過できずに反射されて再び位相遅延板９３５を通過して、有機発光素子（Ｌ１）に向かうようになる。また、直線偏光になった光は位相遅延板９３５を通過しながら左円偏光に変わり、有機発光素子（Ｌ１）において反射しながら左円偏光だった光は再び右円偏光に変わる。そして、右円偏光となった光は位相遅延板９３５を通過しながら、直線偏光にされる。この時、直線偏光となった光の軸方向は第２反射型偏光フィルム９３３の偏光軸と実質的に同じ方向となる。ここで、実質的に同じということは光が波長帯域別に少しずつ異なる挙動を示すためである。可視光の波長帯域に属した光は平均的に第２反射型偏光フィルム９３３の偏光軸と実質的に同じ方向となる。従って、直線偏光となった光は第２反射型偏光フィルム９３３、偏光板９３２、および第１反射型偏光フィルム９３１を順次に通過して外部に放出される。
【００７８】
次に、図９を参照して、有機発光素子（Ｌ１）において外部に放出される光の経路を見る。
【００７９】
有機発光素子（Ｌ１）の有機発光層５４５から放出された光は第２電極５４６と位相遅延板９３５を順次に通過して第２反射型偏光フィルム９３３に向かう。この時、光は多様な位相が混在する状態である。
【００８０】
位相遅延板９３５を通過した光の中で、第２反射型偏光フィルム９３３の偏光軸と同じ成分の光は第２反射型偏光フィルム９３３を通過し、他の光は反射されて再び位相遅延板９３５に向かう。ここで、第２反射型偏光フィルム９３３を通過した光は直線偏光にされて、偏光板９３２および第１反射型偏光フィルム９３１を順次に通過して外部に放出される。  一方、反射型偏光フィルム９３３から反射された光は位相遅延板９３５を経て有機発光素子（Ｌ１）に向かう。この時、光は位相遅延板９３５を通過しながら相当量が左円偏光される。これは第２反射型偏光フィルム９３３の偏光軸と同じ方向の光軸を有する光は第２反射型偏光フィルム９３３を通過して、最終的に外部に放出されたためである。そして、有機発光素子（Ｌ１）において反射しながら相当量が右円偏光に変わる。右円偏光された光は位相遅延板９３５を通過しながら直線偏光にされて、直線偏光になった光は第２反射型偏光フィルム９３３、偏光板９３２、および第１反射型偏光フィルム９３１を順次に経て外部に放出される。
【００８１】
このように、本発明の第３実施形態による有機発光表示装置３００は、鏡機能を有しながら、有機発光素子（Ｌ１）で発生した光が外部に放出される時の損失を最少化できる。また、第１反射型偏光フィルム９３１、偏光板９３２、および第２反射型偏光フィルム９３３を経て反射と通過を繰り返す過程において外光反射もある程度抑制することができる。
【００８２】
以下、図１０を参照して本発明の第４実施形態を説明する。
【００８３】
図１０に示したように、本発明の第４実施形態による有機発光表示装置４００の光学部材９４は選択的反射膜９４１、偏光板９４２、位相遅延板９４５、およびコレステリック液晶（ｃｈｏｌｅｓｔｅｒｉｃ  ｌｉｑｕｉｄ  ｃｒｙｓｔａｌ、ＣＬＣ）膜９４６を含む。以下、本発明の第４実施形態において選択的反射膜９４１を反射型偏光フィルムという。
【００８４】
偏光板９４２は反射型偏光フィルム９４１と位相遅延板９４５との間に配置され、コレステリック液晶膜９４６は位相遅延板９４５と有機発光素子（Ｌ１）との間に配置される。
【００８５】
一方、図１０で光学部材９４は偏光板９４２を含んでいるが、本発明による第４実施形態はこれに限定されるものではない。従って、光学部材９４において偏光板９４２は省略できる。
【００８６】
偏光板９４２は反射型偏光フィルム９４１の偏光軸と同じ方向の偏光軸を有する。
【００８７】
コレステリック液晶はスメクチック（ｓｍｅｃｔｉｃ）液晶のように層状構造を形成するが、長軸の分子は面内でネマチック（ｎｅｍａｔｉｃ）液晶と類似する平衡配列をしている。具体的に記せば、一つの平面内においては細長い分子が長軸の方向にきちんと配列されていて、その面に垂直方向に進行することによって分子軸の配列方位が少しずつずれている構造、つまり、分子が配列一方向から螺旋（ｈｅｌｉｃａｌ）状に旋回するような構造を有する。従って、液晶全体としては螺旋構造を有している。これによって、コレステリック液晶は旋光性、選択光散乱、円偏光２色性などの特性を有する。
【００８８】
従って、コレステリック液晶膜９４６は円偏光を選択的に透過または反射できる。本発明の第４実施形態において、コレステリック液晶膜９４６は右円偏光は透過させて、左円偏光は反射させる。
【００８９】
このような構成によって、有機発光表示装置４００は鏡機能を含むことができると同時に適切な透過率を有して有機発光素子（Ｌ１）において発生した光を効率的に外部に放出することができる。また、ある程度外光反射を抑制して、視認性を多少向上できる。
【００９０】
具体的には、反射型偏光フィルム９４１は有機発光素子（Ｌ１）が光を放出しない時に外部の光を反射して鏡のような効果を出し、コレステリック液晶膜９４６は有機発光素子（Ｌ１）において発生した光が外部に放出される過程で失われるのを最小化する。
【００９１】
以下、図１１および図１２を参照して本発明の第４実施形態による有機発光表示装置４００の光学部材９４が効果的に外光反射を抑制しながら有機発光層５４５から外部に放出される光の損失を最少化する原理について説明する。
【００９２】
まず、図１１を参照して、外部から光学部材９４を通して内部に流入する光の経路を見る。
【００９３】
外部の光は光学部材９４のうち、反射型偏光フィルム９４１を最初に経るようになる。外部の光のうちの一部は反射型偏光フィルム９４１を通過しながら反射型偏光フィルム９４１の偏光軸方向の直線偏光にされて、反射型偏光フィルム９４１を通過できない光は再び外部に反射される。ここで、外部に反射される光によって有機発光表示素子（Ｌ１）が光を発生しない時に光学部材９４が鏡のような役割を果たすことができる。直線偏光になった光は偏光板９４２をそのまま通過して、１／４波長板の位相遅延板９４５を経ながら円偏光に変わる。ここで、偏光板９４２は省略できる。そして、位相遅延板９４５の光軸は反射型偏光フィルム９４１の偏光軸より４０度乃至５０度程度、最も望ましくは略４５度ずれている。
【００９４】
このように、直線偏光になった光の軸方向と位相遅延板９４５の光軸方向との交角が略４５度を成すため、直線偏光になった光が位相遅延板９４５を通過しながら円偏光に変わるようになる。この時、円偏光は右円偏光である。しかし、本発明による第４実施形態はこれに限定されるものではない。従って、位相遅延板９４５を通過した光が左円偏光となるように位相遅延板９４５を配置しても良い。
【００９５】
そして、右円偏光された光はコレステリック液晶膜９４６をそのまま通過する。コレステリック液晶膜９４６は右円偏光された光は通過させて左円偏光された光は反射できるように配列される。しかし、本発明による第４実施形態はこれに限定されるものではない。従って、コレステリック液晶膜９４６は左円偏光の光は通過させて右円偏光された光は反射することもできる。しかし、この場合には位相遅延板９４５を通過した光が左円偏光でなければならない。つまり、コレステリック液晶膜９４６は必ず反射型偏光フィルム９４１と位相遅延板９４５を経て円偏光された光を通過させるべきである。
【００９６】
コレステリック液晶膜９４６を通過した右円偏光の光は第２電極５４６および第１電極５４４を含む有機発光素子（Ｌ１）において反射されて再びコレステリック液晶膜９４６に向かう。この時、右円偏光の光は反射しながら左円偏光に変わる。従って、光はコレステリック液晶膜９４６を通過できずに反射されて再び有機発光素子（Ｌ１）に向かう。また、光は有機発光素子（Ｌ１）の電極５４４、５４６だけでなくその他に多様な金属配線においても反射できる。
【００９７】
また再び、有機発光素子（Ｌ１）から反射されながら左円偏光の光は再び右円偏光に変わる。そして、右円偏光された光はコレステリック液晶膜９４６を通過して位相遅延板９４５を経ながら直線偏光に変わる。この時、直線偏光の光は偏光板９４２の偏光軸と実質的に同じ軸方向を有する。ここで、実質的に同じという表現を使ったことは光は波長帯域別に少しずつ異なる挙動を示すためである。可視光の波長帯域に属した光は平均的に偏光板９４２の偏光軸と実質的に同じ方向となる。従って、直線偏光の光は偏光板９４２および反射型偏光フィルム９４１を順次に通過して外部に放出される。
【００９８】
次に、図１２を参照して有機発光素子（Ｌ１）から外部に放出される光の経路を見る。
【００９９】
有機発光層５４５から放出された光は第２電極５４６を通過してコレステリック液晶膜９４６に向かう。この時、光は多様な位相が混在する状態である。第２電極５４６を通過した光の中、右円偏光成分の光はコレステリック液晶膜９４６をそのまま通過して位相遅延板９４５に向かい、左円偏光成分の光は反射されて再び有機発光素子（Ｌ１）に向かう。コレステリック液晶膜９４６を通過した光は位相遅延板９４５を通過しながら直線偏光にされて、直線偏光になった光は偏光板９４２および反射型偏光フィルム９４１を通過して外部に放出される。一方、有機発光素子（Ｌ１）に向かった光は反射しながら右円偏光に変わる。また、光は有機発光素子（Ｌ１）の電極５４４、５４６だけでなくその他に複数の金属配線においても反射される。右円偏光された光はコレステリック液晶膜９４６、位相遅延板９４５、偏光板９４２、および反射型偏光フィルム９４１を順次に経て外部に放出される。
【０１００】
このように、本発明の第４実施形態による有機発光表示装置４００は鏡機能を有しながら、有機発光素子（Ｌ１）から発生した光が外部に放出される時の損失を最少化できる。また、反射型偏光フィルム９４１、偏光板９４２、位相遅延板９４５、およびコレステリック液晶膜９４６等を経て反射と通過を繰り返す過程において外光反射もある程度抑制することができる。
【０１０１】
以下、表１を参照して、実験例と比較例を見る。実験例は前述した第１〜第４実施形態夫々を代表する実験例１、実験例２、実験例３、および実験例４を含む。比較例は偏光板と位相遅延板だけで構成された従来の光学部材を含む。
【０１０２】
このように構成された実験例と比較例の透過率は表１に示した通りである。
【０１０３】
【表１】
2010161051.tif 000003
【０１０４】
表１に示したように、各実験例は鏡機能を有しながらも、比較例と比べて同一または概して向上した透過率を有することが分かる。
【０１０５】
従って、有機発光表示装置は鏡機能を含みながらも、適切な透過率および視認性を有する。
【０１０６】
以上、本発明を望ましい実施形態により説明したが、本発明はこれに限定されなく、特許請求の範囲の概念と範囲を逸脱しない限り、多様な修正および変形できることを本発明が属する技術分野において従事する者には簡単に理解できる。
【符号の説明】
【０１０７】
１００、２００、３００、４００      有機発光表示装置
５１、５２      基板
５１１      基板部材
５３１      ゲート電極
５３２      ドレーン電極
５３３      ソース電極
５４４、５４６      電極
５４５      有機発光層
９１、９２、９３，９４      光学部材
９１１、９２１、９３１、９４１      選択的反射膜
９１５、９２５、９３５、９４５      位相遅延板
９２２、９３２、９４２      偏光板
９３３      偏光フィルム
９４６      コレステリック液晶膜
ＤＣ      駆動回路部
Ｌ１      有機発光素子
Ｔ１、Ｔ２      薄膜トランジスター
Ｃ１      保存キャパシター
ＳＬ１      スキャンライン
ＤＬ１      データライン
ＶＤＤ      電源ライン
ＩＯＥＬＤ        出力電流
【図１】
2010161051.tif 000004
【図２】
2010161051.tif 000005
【図３】
2010161051.tif 000006
【図４】
2010161051.tif 000007
【図５】
2010161051.tif 000008
【図６】
2010161051.tif 000009
【図７】
2010161051.tif 000010
【図８】
2010161051.tif 000011
【図９】
2010161051.tif 000012
【図１０】
2010161051.tif 000013
【図１１】
2010161051.tif 000014
【図１２】
2010161051.tif 000015